(57)【要約】  １次側共振インダクタ(Lr)と１次側共振キャパシタ(Cr)とで１次側共振回路が構成され、２次側共振インダクタ(Ls1，Ls2)と２次側共振キャパシタ(Cs1，Cs2)とで２次側共振回路が構成される。１次巻線(np)と２次巻線(ns1，ns2)との間に電磁界共鳴結合により等価的な相互インダクタンス(Lms1，Lms2)および等価的な相互キャパシタンス(Cm1、Cm2、Cm3)が形成され、１次側と２次側の双方にLC共振回路を備えた複共振回路が構成される。１次側回路から２次側回路へ電力は伝送され、１次巻線から送電されない共振エネルギー、および２次巻線が受電したエネルギーのうち出力に供給されない共振エネルギーは、それぞれ複共振回路に保存され、特に２次側では、整流素子が直列に構成されない電流経路にて共振エネルギーは保存される。
2013058175.tif 000002
【特許請求の範囲】
【請求項１】
少なくとも１次巻線と２次巻線を備えたトランスと、
前記１次巻線に対して等価的に直列に構成される１次側共振インダクタと、
前記１次側共振インダクタとともに１次側共振回路を構成する１次側共振キャパシタと、
少なくとも２つのスイッチング素子を備え、入力直流電源電圧から台形波の交流電圧を生成して前記１次側共振回路へ与える１次側交流電圧発生回路と、
を備えた１次側回路と、
前記２次巻線に対して等価的に直列に構成される２次側共振インダクタと、
前記２次側共振インダクタとともに２次側共振回路を構成する２次側共振キャパシタと、
整流素子を有し、前記２次側共振回路から出力される交流電流を整流して直流電圧を得る２次側整流回路と、
を備えた２次側回路と、
前記１次巻線と前記２次巻線との間で相互誘導により等価的に相互インダクタンスが形成され、前記１次巻線と前記２次巻線との間で相互作用により等価的に相互キャパシタンスが形成され、少なくとも前記１次側回路および前記２次側回路のそれぞれに複数のＬＣ共振回路を備えた複共振回路が構成され、
前記複共振回路により、
前記１次側共振回路と前記２次側共振回路とが共鳴して、前記相互インダクタンスおよび前記相互キャパシタンスに電流が流れる電磁界共鳴結合により前記１次側回路から前記２次側回路へ電力が伝送され、
前記１次巻線から送電されないエネルギーは共振現象により前記１次側共振回路に共振エネルギーとして保存され、
前記２次巻線が受電したエネルギーのうち、出力に供給されないエネルギーは共振現象により前記２次側共振回路に共振エネルギーとして保存され、
前記２次側共振回路は、前記整流素子が直列に構成される電流経路とは異なる電流経路を構成して、前記１次巻線から前記２次巻線へ電力を伝送する、
ことを特徴とするスイッチング電源装置。
【請求項２】
前記１次側交流電圧発生回路は、スイッチング周波数をfsで表し、
前記２次側回路の出力に負荷が接続された状態で、前記１次側交流電圧発生回路に接続される前記複共振回路の入力からみた入力インピーダンスが極小となる共振周波数をfaで表すと、
fa≦fs
なる範囲で動作して、伝送電力を制御する、請求項１に記載のスイッチング電源装置。
【請求項３】
前記２次側共振回路を備えることにより、出力に負荷が接続されない無負荷状態においても共振動作を維持して動作する所定の周波数fcを設定し、
fa≦fs≦fc
なる範囲で動作して、伝送電力を制御する、請求項２に記載のスイッチング電源装置。
【請求項４】
前記２次側共振キャパシタは、前記２次巻線に対して並列に接続され、前記２次側整流回路は前記２次側共振キャパシタの電圧を整流する、請求項１〜３のいずれかに記載のスイッチング電源装置。
【請求項５】
前記２次側共振キャパシタは、前記２次巻線と直列に接続され、前記２次側整流回路は２次側共振キャパシタの電流を整流する、請求項１〜３のいずれかに記載のスイッチング電源装置。
【請求項６】
前記２次側共振キャパシタは、前記２次側整流回路を構成する整流素子に対して並列に接続されている、請求項１〜５のいずれかに記載のスイッチング電源装置。
【請求項７】
前記２次側整流回路はブリッジ整流回路である、請求項１〜６のいずれかに記載のスイッチング電源装置。
【請求項８】
前記２次側整流回路はセンタータップ整流回路である、請求項１〜６のいずれかに記載のスイッチング電源装置。
【請求項９】
前記２次側整流回路は倍電圧整流回路である、請求項１〜６のいずれかに記載のスイッチング電源装置。
【請求項１０】
前記スイッチング素子は、両端電圧がゼロ電圧に低下した際にターンオンしてゼロ電圧スイッチング動作を行う、請求項１〜９のいずれかに記載のスイッチング電源装置。
【請求項１１】
前記１次側共振インダクタまたは前記２次側共振インダクタは、前記１次巻線または２次巻線の漏れインダクタンスである、請求項１〜１０のいずれかに記載のスイッチング電源装置。
【請求項１２】
前記１次側共振キャパシタとともに前記１次巻線の浮遊容量は前記１次側共振回路を構成し、または前記２次側共振キャパシタとともに前記２次巻線の浮遊容量は前記２次側共振回路を構成する、請求項１〜１１のいずれかに記載のスイッチング電源装置。
【請求項１３】
前記２次側共振キャパシタに前記整流素子の接合容量を利用する、請求項１〜１２のいずれかに記載のスイッチング電源装置。
【請求項１４】
前記スイッチング素子に対して並列に接続されたダイオードを有する、請求項１〜１３のいずれかに記載のスイッチング電源装置。
【請求項１５】
前記スイッチング素子はFETであり、前記並列に接続されたダイオードはFETの寄生ダイオードであり、FETの寄生容量を並列キャパシタとして用いる、請求項１〜１４のいずれかに記載のスイッチング電源装置。
【請求項１６】
前記１次側共振回路の共振周波数と前記２次側共振回路の共振周波数とをほぼ等しくした、請求項１〜１５のいずれかに記載のスイッチング電源装置。
【請求項１７】
前記１次側交流電圧発生回路は、４つのスイッチング素子がフルブリッジ接続された回路である、請求項１〜１６のいずれかに記載のスイッチング電源装置。
【請求項１８】
前記２次側整流回路は、前記１次側交流電圧発生回路のスイッチング動作に同期して整流する同期整流回路である、請求項１〜１７のいずれかに記載のスイッチング電源装置。
【発明の詳細な説明】
【技術分野】
【０００１】
本発明は、スイッチング電源装置に関し、特に複共振回路により電力伝送を行うスイッチング電源装置に関するものである。
【背景技術】
【０００２】
近年、電子機器の小型軽量化は進み、スイッチング電源の高効率化、小型軽量化の市場要求はいっそう高まっている。例えばＬＣ共振現象を利用してトランスに正弦波状の共振電流を流して動作をさせる電流共振形ハーフブリッジコンバータは、出力電流リップルの特性が比較的緩和される薄型テレビなどの市場において、高効率である特長を活かして実用化が進んでいる。【０００３】
例えばＬＣ直列共振型ＤＣ−ＤＣコンバータとして特許文献１が開示されている。図１４は特許文献１のスイッチング電源装置の基本的な回路図である。このスイッチング電源装置は電流共振形のハーフブリッジＤＣ−ＤＣコンバータであり、トランスＴの１次巻線npに、インダクタLrとキャパシタCrとからなるＬＣ共振回路および二つのスイッチング素子Q1，Q2が接続されている。トランスＴの２次巻線ns1，ns2にはダイオードDs1，Ds2およびキャパシタCoからなる整流平滑回路が構成されている。【０００４】
このような構成により、スイッチング素子Q1，Q2はデッドタイムを挟んで相補的にオンオフされて、トランスＴに流れる電流波形は正弦波状の共振波形となる。また、この二つのスイッチング素子Q1，Q2のオン期間／オフ期間の両期間ともに１次側から２次側に電力が伝送される。
【先行技術文献】
【特許文献】
【０００５】
【特許文献１】特開平９−３０８２４３号公報
【発明の概要】
【発明が解決しようとする課題】
【０００６】
しかしながら、特許文献１のスイッチング電源装置においては、次のような解決すべき課題があった。【０００７】
（１）１次側（もしくは２次側）のみにＬＣ共振回路が構成され、１次巻線と２次巻線との磁気結合により等価的に相互インダクタンスＬｍが形成され、電磁誘導によって電力は伝送される。しかし、磁気結合に関与しない漏れ磁束は等価的な漏れインダクタンスを形成し、２次側漏れインダクタンスの磁気エネルギーは、整流ダイオードのスイッチング損失として電力損失になる。特に、磁気結合が小さい場合は、２次巻線の漏れインダクタンスは大きくなって電力損失は増大する。【０００８】
（２）１次巻線と２次巻線との磁気結合が小さい場合、２次側回路に共振回路が構成されていないことからインピーダンスは大きく、効率よく１次側から２次側に電力を伝送することができない。【０００９】
（３）出力電力の制御はスイッチング周波数ｆｓの変化により行うことができる。例えば、スイッチング周波数ｆｓは、軽負荷で高く、重負荷で低くなるように制御される。しかし、軽負荷、無負荷ではスイッチング周波数ｆｓは高くなりすぎて出力電力を制御しきれなくなり、間欠発振動作となる、出力電圧が跳ね上がる、などの問題が生じる。【００１０】
そこで本発明は、出力安定性を高めつつ電力変換効率を高めたスイッチング電源装置を提供することを目的としている。
【課題を解決するための手段】
【００１１】
本発明のスイッチング電源装置は次のように構成される。
（１）少なくとも１次巻線と２次巻線を備えたトランスと、
前記１次巻線に対して等価的に直列に構成される１次側共振インダクタLrと、
前記１次側共振インダクタLrとともに１次側共振回路を構成する少なくとも１つの１次側共振キャパシタCrと、
少なくとも２つのスイッチング素子を備え、これらのスイッチング回路により、入力直流電源電圧から台形波（方形波）の交流電圧を生成して前記１次側共振回路へ与える１次側交流電圧発生回路と、
を備えた１次側回路と、
前記２次巻線に対して等価的に直列に構成される２次側共振インダクタLsと、
前記２次側共振インダクタLsとともに２次側共振回路を構成する２次側共振キャパシタCsと、
整流素子を有し、前記２次側共振回路から出力される交流電流を整流して直流電圧を得る２次側整流回路と、
を備えた２次側回路と、
前記１次巻線と前記２次巻線との間で相互誘導により等価的に相互インダクタンスLmが形成され、前記１次巻線と前記２次巻線との間で相互作用により等価的に相互キャパシタンスCmが形成され、少なくとも前記１次側回路および前記２次側回路のそれぞれに複数のＬＣ共振回路を備えた複共振回路が構成され、
前記複共振回路により、
前記１次側共振回路と前記２次側共振回路とが共鳴して、前記相互インダクタンスLmおよび前記相互キャパシタンスCmに電流が流れる電磁界共鳴結合により前記１次側回路から前記２次側回路へ電力が伝送され、
前記１次巻線から送電されないエネルギーは共振現象により前記１次側共振回路に共振エネルギーとして保存され、
前記２次巻線が受電したエネルギーのうち、出力に供給されないエネルギーは共振現象により前記２次側共振回路に共振エネルギーとして保存され、
前記２次側共振回路は、前記整流素子が直列に構成される電流経路とは異なる電流経路を構成して、前記１次巻線から前記２次巻線へ電力を伝送する、
ことを特徴とする。【００１２】
上記の構成によれば、１次巻線と２次巻線との間に電磁界共鳴結合によって等価的な相互インダクタンスを形成して、複共振回路によって１次側共振回路と２次側共振回路とを共鳴させて、磁界共振結合により１次側回路から２次側回路へ効率良く電力を伝送できる。また、整流素子が非導通となった際、インダクタLsとキャパシタCsは共振することで共振エネルギーとして保存され、電力損失を低減できる。【００１３】
（２）前記１次側交流電圧発生回路は、スイッチング周波数をfsで表し、前記２次側回路の出力に負荷が接続された状態で、前記１次側交流電圧発生回路に接続される前記複共振回路の入力からみた入力インピーダンスが極小となる共振周波数をfaで表すと、
fa≦fs  なる範囲で動作して、伝送電力を制御することが好ましい。【００１４】
上記の構成によれば、いかなる負荷の状態においても、１次側交流電圧発生回路から見た複共振回路の入力インピーダンスは誘導性インピーダンスとなるので、１次側交流電圧発生回路を構成するスイッチング素子においてゼロ電圧スイッチング動作を実現するとともに、負荷の状態変化に対して所望の出力電力に制御することが可能となる。また、整流素子の両端電圧または電流波形が正弦波の一部となって導通状態または非導通状態となる広義のゼロ電圧スイッチング（以下、「ＺＶＳ」）、またはゼロ電流スイッチング（以下、「ＺＣＳ」）動作が可能となり、スイッチング損失を低減する。高効率化を図ることができる。【００１５】
（３）前記２次側共振回路を備えることにより、出力に負荷が接続されない無負荷状態においても共振動作を維持して動作する所定の周波数fcを設定し、
fa≦fs≦fc  なる範囲で動作して、伝送電力を制御することが好ましい。【００１６】
上記構成によれば、所望の動作周波数の範囲において出力電力を制御できる。【００１７】
（４）前記２次側共振キャパシタCsは、前記２次巻線に対して並列に接続され、前記２次側整流回路は前記２次側共振キャパシタCsの電圧を整流するように構成されていることが好ましい。【００１８】
上記の構成によれば、整流素子のＺＶＳ、ＺＣＳ動作が可能となり、スイッチング損失が低減し、高効率化が図れる。また、巻線の浮遊容量を共振キャパシタとして用いることにより、部品数が削減されて、電源装置の小型軽量化を図ることができる。【００１９】
（５）前記２次側共振キャパシタCsは、前記２次巻線と直列に接続され、前記２次側整流回路は２次側共振キャパシタCsの電流を整流するように構成されていることが好ましい。【００２０】
上記の構成によれば、整流素子のＺＶＳ、ＺＣＳ動作が可能となり、スイッチング損失が低減され、高効率化を図ることができる。【００２１】
（６）前記２次側共振キャパシタCsは、前記２次側整流回路を構成する整流素子に対して並列に接続されていることが好ましい。【００２２】
上記の構成によれば、整流素子のＺＶＳ、ＺＣＳ動作が可能となり、スイッチング損失が低減され、高効率化を図ることができる。また、整流素子の接合容量を共振キャパシタと利用することにより、部品数が削減されて、電源装置の小型軽量化を図ることができる。【００２３】
（７）前記２次側整流回路は例えばブリッジ整流回路である。【００２４】
上記の構成によれば、整流素子に必要な耐圧を低くできる。【００２５】
（８）前記２次側整流回路は例えばセンタータップ整流回路である。【００２６】
上記の構成によれば、出力電流を２つの整流素子、２つの２次巻線で供給することができ、出力電流が大きい用途において高効率化を図ることができる。【００２７】
（９）前記２次側整流回路は例えば倍電圧整流回路である。【００２８】
上記の構成によれば、１つの２次巻線で高い電圧を供給することができ、出力電圧が高い用途において高効率化を図ることができる。【００２９】
（１０）前記スイッチング素子は、両端電圧がゼロ電圧付近に低下した際にターンオンしてゼロ電圧スイッチング動作を行うことが好ましい。【００３０】
上記の構成によれば、共振インダクタの部品が不要になり、スイッチング電源装置の小型軽量化を図ることができる。【００３１】
（１１）前記１次側共振インダクタLrまたは前記２次側共振インダクタLsは、前記１次巻線または２次巻線の漏れインダクタンスであることが好ましい。【００３２】
上記の構成によれば、部品数が削減されて、電源装置の小型軽量化を図ることができる。【００３３】
（１２）前記１次側共振キャパシタCrとともに前記１次巻線の浮遊容量は前記１次側共振回路を構成し、または前記２次側共振キャパシタCsとともに前記２次巻線の浮遊容量は前記２次側共振回路を構成することが好ましい。【００３４】
上記の構成によれば、部品数が削減されて、電源装置の小型軽量化を図ることができる。【００３５】
（１３）前記２次側共振キャパシタCsに前記整流素子の接合容量を利用することが好ましい。【００３６】
上記の構成によれば、部品数が削減されて、電源装置の小型軽量化を図ることができる。【００３７】
（１４）前記スイッチング素子に対して並列に接続されたダイオードを有することが好ましい。【００３８】
（１５）前記スイッチング素子はFETであり、前記並列に接続されたダイオードはFETの寄生ダイオードであり、FETの寄生容量を並列キャパシタとして用いることが好ましい。【００３９】
上記の構成によれば、部品数が削減されて、電源装置の小型軽量化を図ることができる。【００４０】
（１６）前記１次側共振回路の共振周波数と前記２次側共振回路の共振周波数とをほぼ等しくしたことが好ましい。【００４１】
上記の構成によれば電力伝送効率がより高まる。また電磁界共鳴結合の共鳴周波数の帯域を広くすることができる。【００４２】
（１７）前記スイッチング回路は、４つのスイッチング素子がフルブリッジ接続された回路であることが好ましい。【００４３】
上記の構成によれば、スイッチング素子に必要な耐圧を低くできる。【００４４】
（１８）前記２次側整流回路は、前記１次側交流電圧発生回路のスイッチング回路の動作に同期して整流する同期整流回路であることが好ましい。【００４５】
上記の構成によれば、同期整流回路を構成するスイッチング素子をスイッチング動作をさせることにより、受電側のエネルギーを送電することが可能となり、受電側回路を送電回路として用いることができる。このようにして、例えば、双方向の電力伝送が可能となる。
【発明の効果】
【００４６】
本発明によれば次のような効果を奏する。【００４７】
（ａ）１次巻線npと２次巻線nsとの間に電磁界共鳴結合によって等価的な相互インダクタンスLmが形成され、１次巻線npと２次巻線（ns，ns1，ns2）との間の相互作用によって等価的な相互キャパシタンスCmが形成されて、複共振回路によって１次側共振回路と２次側共振回路とが共鳴して、１次側回路から２次側回路へ効率良く電力を伝送できる。【００４８】
（ｂ）整流ダイオードが非導通となった際、共振インダクタLsとキャパシタCsは共振することで共振エネルギーとして保存され、電力損失を低減できる。【００４９】
（ｃ）複共振回路のインピーダンスを、１次側交流電圧発生回路の電圧の位相に対して電流の位相が遅れる誘導性インピーダンスとすることにより、全負荷範囲においてスイッチング素子Q1、Q2のＺＶＳ動作を行うことが可能となり、スイッチング損失を大幅に低減して高効率化を図ることができる。【００５０】
（ｄ）整流素子のＺＶＳ、ＺＣＳ動作が可能となり、スイッチング損失が低減され、高効率化を図ることができる。
【図面の簡単な説明】
【００５１】
【図１】図１は第１の実施形態のスイッチング電源装置１０１の回路図である。
【図２】図２は図１に示したスイッチング電源装置１０１の各部の波形図である。
【図３】図３は第２の実施形態のスイッチング電源装置１０２の回路図である。
【図４】図４は第３の実施形態のスイッチング電源装置１０３の回路図である。
【図５】図５は第４の実施形態のスイッチング電源装置１０４の回路図である。
【図６】図６は第５の実施形態のスイッチング電源装置１０５の回路図である。
【図７】図７は第６の実施形態のスイッチング電源装置１０６の回路図である。
【図８】図８は第７の実施形態のスイッチング電源装置１０７の回路図である。
【図９】図９は第８の実施形態のスイッチング電源装置１０８の回路図である。
【図１０】図１０は第９の実施形態のスイッチング電源装置１０９の回路図である。
【図１１】図１１は第１０の実施形態のスイッチング電源装置１１０の回路図である。
【図１２】図１２は第１１の実施形態のスイッチング電源装置１１１の回路図である。
【図１３】図１３は第１２の実施形態のスイッチング電源装置１１２の回路図である。
【図１４】図１４は特許文献１のスイッチング電源装置の基本的な回路図である。
【発明を実施するための形態】
【００５２】
《第１の実施形態》
図１は第１の実施形態のスイッチング電源装置１０１の回路図である。
スイッチング電源装置１０１は、入力部に入力電源Ｖｉが入力され、出力部から負荷Ｒｏへ安定した直流電力を供給する回路である。スイッチング電源装置１０１は次の各部を備えている。
【００５３】
・１次巻線ｎｐおよび２次巻線ｎｓ１，ｎｓ２を備えるトランスＴ
・１次巻線ｎｐに対して等価的に直列に構成される１次側共振インダクタLr
・共振インダクタLrとともに１次側共振回路を構成する少なくとも１つの１次側共振キャパシタCr
・スイッチング素子Q1，Q2、逆並列ダイオードDds1，Dds2および並列キャパシタCds1，Cds2でそれぞれ構成される、２つのスイッチング回路
・前記スイッチング回路により、入力直流電源電圧から台形波（方形波）の交流電圧を発生して１次側共振回路へ与える１次側交流電圧発生回路
・２次巻線ns1，ns2に対して等価的に直列に構成される２次側共振インダクタLs1，Ls2
・共振インダクタLs1，Ls2とともに２次側共振回路を構成する２次側共振キャパシタCs1，Cs2
・ダイオードDs1，Ds2を有し、２次側共振回路から出力される交流電流を整流して直流電圧を得る２次側整流回路
・１次巻線npと２次巻線ns1，ns2との間で相互誘導により等価的な相互インダクタンスLms1，Lms2が形成され、１次巻線npと２次巻線ns1，ns2との間の相互作用により等価的な相互キャパシタンスCm1、Cm2、Cm3が形成され、１次側回路および２次側回路のそれぞれに複数のＬＣ共振回路を備えた複共振回路
このスイッチング電源装置の特徴となる構成を端的に表せば、次のとおりである。
【００５４】
・１次側と２次側の双方にLC共振回路を備え、電磁界共鳴結合により効率良く電力を伝送する。
【００５５】
・２次側にCs1、Ls1、Lms1からなるLC共振回路、およびCs2、Ls2、Lms2からなるLC共振回路を備える。
【００５６】
・１次側にLr、Cr、LmからなるLC共振回路を備える。
【００５７】
・Cr、Lm、Lr、Cs1、Lr1、Lms1、Cs2、Lr2、Lms2、Cm1、Cm2、Cm3により複共振回路を構成する。
【００５８】
このスイッチング電源装置１０１の作用は次のとおりである。
【００５９】
（１）１次巻線npと２次巻線ns1，ns2との間に相互誘導によって等価的な相互インダクタンスLm、Lms1、Lms2を形成し、Cr、Lr、Lm、Cs1、Ls1、Lms1、Cs2、Ls2、Lms2、Cm1、Cm2、Cm3からなる複共振回路によって、１次側共振回路と２次側共振回路は共鳴し、相互インダクタンスLm、Lm1、Lm2に共振電流が流れ、相互キャパシタンスCm1、Cm2、Cm3に電流が流れる電磁界共鳴結合により１次側回路から２次側回路へ電力が伝送される。
【００６０】
（２）ダイオードDs1が非導通または導通となる際に、インダクタLs1とキャパシタCs1は共振する。
【００６１】
（３）ダイオードDs2が非導通または導通となる際に、インダクタLs2とキャパシタCs2は共振する。
【００６２】
（４）スイッチング素子Q1とQ2はデッドタイムを挟んで交互にオンオフすることにより、直流電圧Viから台形波交流電圧波形が生成される。この台形波交流電圧波形はCr、Lm、Lr、Cs1、Lr1、Lms1、Cs2、Lr2、Lms2、Cm1、Cm2、Cm3からなる複共振回路による共振現象により正弦波波形もしくは正弦波波形の一部とする交流電流波形となる。さらに整流素子Ds1、Ds2により整流されて直流電圧が生成される。
【００６３】
（５）２次側回路の出力に負荷が接続された状態で、１次側交流電圧発生回路に接続される複共振回路の入力からみた入力インピーダンスが極小となる共振周波数をfaで表すと、
fa≦fs
なる範囲にて動作して伝送電力が制御される。
【００６４】
図２は図１に示したスイッチング電源装置１０１の各部の波形図である。図１および図２を参照して、スイッチング電源装置１０１の動作について述べる。
【００６５】
ここで、スイッチング素子Q1、Q2のゲート・ソース間電圧をvgs1、vgs2、ドレイン・ソース間電圧をそれぞれvds1、vds2、ダイオードDs1，Ds2の両端電圧をそれぞれvrs1、vrs2、２次巻線ns1、ns2の共通グランドに流れる電流をisで表す。
【００６６】
スイッチング素子Q1、Q2は、両スイッチ素子がオフとなる短いデットタイムを挟んで交互にオン、オフされ、デットタイム期間にQ1、Q2に流れる電流がそれぞれ転流されてＺＶＳ動作を行う。1スイッチング周期における各期間での動作は次のとおりである。
【００６７】
［１］State１  時刻ｔ１〜ｔ２
始め、ダイオードDds1は導通する。ダイオードDds1の導通期間においてスイッチング素子Q1をターンオンすることでＺＶＳ動作が行われ、スイッチング素子Q1は導通する。１次巻線npと２次巻線ns1，ns2との間に相互誘導によって等価的な相互インダクタンスLm、Lms1、Lms2が形成され、また、１次巻線npと２次巻線ns1との間に相互作用によって等価的な相互キャパシタンスCm1、Cms2、Cms3が形成され、Cr、Lr、Lm、Cs1、Ls1、Lms1、Cs2、Ls2、Lms2からなる複共振回路において、１次側共振回路と２次側共振回路とが共鳴して、相互インダクタンスLm、Lms1、Lms2に共振電流が流れる磁界共鳴結合により１次側回路から２次側回路へ電力が伝送される。１次側では、キャパシタCr、インダクタLr、Lmに共振電流が流れる。２次側では、キャパシタCs1、インダクタLs1、Lms1、およびキャパシタCs2、インダクタLs2、Lms2に共振電流が流れる。キャパシタCs1は充電され、キャパシタCs2は放電される。負荷RoにはキャパシタCoから電流が供給される。電圧vs1と出力電圧voが等しくなり、電圧vs2が0VなるとダイオードDs1は導通して、State2となる。
【００６８】
［２］State2  時刻ｔ２〜ｔ３
１次巻線npと２次巻線ns1との間に相互誘導によって等価的な相互インダクタンスLm、Lms1が形成され、また、１次巻線npと２次巻線ns1，ns2との間に相互作用によって等価的な相互キャパシタンスCm1、Cms2、Cms3が形成され、電磁界結合により１次側回路から２次側回路へ電力が伝送される。１次側では、キャパシタCrとインダクタLr、Lmに共振電流が流れる。２次側では、インダクタLs1、Lms1に共振電流が流れ、ダイオードDs1を通って負荷Roに電流が供給される。スイッチング素子Q1がターンオフするとState3となる。
【００６９】
［３］State3  時刻ｔ３〜ｔ４
１次側では、インダクタLrに流れていた電流irにより、キャパシタCds1は充電され、キャパシタCds2は放電される。２次側では、インダクタLs1の電流により、ダイオードDs1を通って負荷Roに電流が供給される。電圧vds1が電圧Vi、電圧vds2が0VになるとダイオードDds2が導通してState4となる。
【００７０】
［４］State4  時刻ｔ４〜ｔ５
始め、ダイオードDds2は導通する。ダイオードDds2の導通期間においてスイッチング素子Q2をターンオンすることでＺＶＳ動作が行われ、スイッチング素子Q2は導通する。１次巻線npと２次巻線ns1との間に相互誘導によって等価的な相互インダクタンスLm、Lms1、Lms2が形成され、また、1次巻線npと2次巻線ns1との間に相互作用によって等価的な相互キャパシタンスCm1、Cms2、Cms3が形成され、Cr、Lr、Lm、Cs1、Ls1、Lms1、Cs2、Ls2、Lms2、Cm1、Cms2、Cms3からなる複共振回路において、１次側共振回路と２次側共振回路とが共鳴して、相互インダクタンスLm、Lms1、Lms2に共振電流が流れる磁界共鳴結合により１次側回路から２次側回路へ電力が伝送される。１次側では、キャパシタCr、インダクタLr、Lmに共振電流が流れる。２次側では、キャパシタCs1、インダクタLs1、Lms1、およびキャパシタCs2、インダクタLs2、Lms2に共振電流が流れる。キャパシタCs1は放電され、キャパシタCs2は充電される。負荷RoにはキャパシタCoから電流が供給される。電圧vs1が0V、電圧vs2が出力電圧voと等しくなるとダイオードDs2は導通してState5となる。
【００７１】
［５］State5  時刻ｔ５〜ｔ６
１次巻線npと２次巻線ns2との間に相互誘導によって等価的な相互インダクタンスLm、Lms2が形成され、また、１次巻線npと２次巻線ns1，ns2との間に相互作用によって等価的な相互キャパシタンスCm1、Cms2、Cms3が形成され、電磁界結合により１次側回路から２次側回路へ電力が伝送される。１次側では、キャパシタCrとインダクタLr、Lmに共振電流が流れる。２次側では、インダクタLs2、Lms2に共振電流が流れ、ダイオードDs2を通って負荷Roに電流を供給する。スイッチング素子Q2がターンオフするとState6となる。
【００７２】
［６］State6  時刻ｔ６〜ｔ１
１次側では、インダクタLrに流れていた電流irにより、キャパシタCds1は放電され、キャパシタCds2は充電される。２次側では、インダクタLs2の電流により、ダイオードDs2を通って負荷Roに電流が供給される。電圧vds1が0V、電圧vds2が電圧ViになるとダイオードDds1が導通して、再びState1となる。
【００７３】
以後、State1〜6を周期的に繰り返す。
【００７４】
第１の実施形態によれば次のような効果を奏する。
（ａ）１次巻線npと２次巻線ns1との間に相互誘導によって等価的な相互インダクタンスと相互作用による等価的な相互キャパシタンスが形成されて、複共振回路によって１次側共振回路と２次側共振回路とが共鳴して、電磁界共鳴結合により１次側回路から２次側回路へ効率良く電力を伝送できる。
【００７５】
（ｂ）ダイオードDs1が非導通となった際、インダクタLs1とキャパシタCs1は共振することで共振エネルギーとして保存され、電力損失を低減できる。
【００７６】
（ｃ）ダイオードDs2が非導通となった際、インダクタLs2とキャパシタCs2は共振することで共振エネルギーとして保存され、電力損失を低減できる。
【００７７】
（ｄ）複共振回路のインピーダンスを、１次側交流電圧発生回路の電圧の位相に対して電流の位相が遅れる誘導性インピーダンスとすることにより、全負荷範囲に亘ってスイッチング素子Q1、Q2のZVS動作が可能となる。そのため、スイッチング損失を大幅に低減して高効率化を図ることができる。
【００７８】
（ｅ）整流ダイオードのＺＶＳ、ＺＣＳ動作が可能となり、スイッチング損失が低減され、高効率化を図ることができる。
【００７９】
（ｆ）２次側にCs1、Ls1、Lms1、Cs2、Ls2、Lms2からなるLC共振回路を備えることにより、無負荷電力となる周波数fcを設定し、スイッチング周波数fsをfs≦fcなる範囲にて動作させることで所望の出力電力に制御することが可能となる。
【００８０】
（ｇ）スイッチング素子Q1，Q2としてMOS-FETを用いることにより、寄生容量、逆並列ダイオードを用いてスイッチング回路を構成することが可能となり、部品数を削減して、電源装置の小型軽量化を図ることができる。
【００８１】
（ｈ）巻線の漏れインダクタンスを共振インダクタLr、Ls1、Ls2として用いることにより、部品数を削減して、電源装置の小型軽量化を図ることができる。
【００８２】
（ｉ）トランスTの相互インダクタンスを共振インダクタLm、Lms1、Lms2として用いることにより、部品数を削減して、電源装置の小型軽量化を図ることができる。
【００８３】
（ｊ）巻線の浮遊容量を共振キャパシタCs1、Cs2として用いることにより、部品数を削減して、電源装置の小型軽量化を図ることができる。
【００８４】
（ｋ）整流ダイオードDs1，Ds2の接合容量を共振キャパシタと利用することにより、部品数を削減して、電源装置の小型軽量化を図ることができる。
【００８５】
《第２の実施形態》
図３は第２の実施形態のスイッチング電源装置１０２の回路図である。この例では第１の実施形態のスイッチング電源装置１０１と異なり、２次側共振キャパシタCs1、Cs2をダイオードDs1、Ds2に対し並列に接続している。また、図１に示した逆並列ダイオードDds1，Dds2をスイッチング素子Q1，Q2の寄生ダイオードで構成している。
【００８６】
作用効果は第１の実施形態で示したものと同様である。特に第２の実施形態ではダイオードDs1，Ds2の接合容量を２次側共振キャパシタCs1、Cs2として用いることができる。
【００８７】
《第３の実施形態》
図４は第３の実施形態のスイッチング電源装置１０３の回路図である。この例では第１の実施形態のスイッチング電源装置１０１と異なり、２次側共振キャパシタを１つのキャパシタCsで構成している。
【００８８】
作用効果は第１の実施形態で示したものと同様である。特に、この第３の実施形態では２次側共振キャパシタCsが１つで構成でき、部品数が削減できる。
【００８９】
《第４の実施形態》
図５は第４の実施形態のスイッチング電源装置１０４の回路図である。この例では第１の実施形態のスイッチング電源装置１０１と異なり、インダクタLr、Ls1、Ls2に巻線の漏れインダクタンスを利用し、インダクタLm、Lm1、Lm2にトランスＴの相互インダクタンスを利用している。
【００９０】
作用効果は第１の実施形態で示したものと同様である。特に、この第４の実施形態では部品数を削減できる。
【００９１】
《第５の実施形態》
図６は第５の実施形態のスイッチング電源装置１０５の回路図である。この例では第１の実施形態のスイッチング電源装置１０１と異なり、キャパシタCs1とCs2をインダクタLs1とLs2に対してそれぞれ直列に構成し、キャパシタCs3とCs4を出力に対して並列に接続している。
【００９２】
作用効果は第１の実施形態で示したものと同様である。特に、この第５の実施形態では、キャパシタCs1〜Cs4の値を適宜設定することで、周波数fcを所望の値に設定できる。
【００９３】
《第６の実施形態》
図７は第６の実施形態のスイッチング電源装置１０６の回路図である。この例では第１の実施形態のスイッチング電源装置１０１と異なり、整流回路としてブリッジ整流回路を構成している。
【００９４】
作用効果は第１の実施形態で示したものと同様である。特に、この第６の実施形態では２次巻線を1つで構成することができ、また、キャパシタCsを1つで構成することができる。
【００９５】
《第７の実施形態》
図８は第７の実施形態のスイッチング電源装置１０７の回路図である。この例では第１の実施形態のスイッチング電源装置１０１と異なり、整流回路としてブリッジ整流回路を構成し、整流ダイオードDs1、Ds2、Ds3、Ds4に対して並列に共振キャパシタCs1、Cs2、Cs3、Cs4を構成している。
【００９６】
作用効果は第１の実施形態で示したものと同様である。特に、この第７の実施形態では、ダイオードDs1、Ds2、Ds3、Ds4の接合容量を共振キャパシタCs1、Cs2、Cs3、Cs4として用いることができるので部品数を削減できる。
【００９７】
《第８の実施形態》
図９は第８の実施形態のスイッチング電源装置１０８の回路図である。この例では第１の実施形態のスイッチング電源装置１０１と異なり、キャパシタCs1をインダクタLsに対して直列に接続し、キャパシタCs2を出力に対して並列に接続している。
【００９８】
作用効果は第１の実施形態で示したものと同様である。特に、この第８の実施形態では、周波数fcを所望の値とすることができ、また、整流素子（ダイオードDs1、Ds2、Ds3、Ds4）に要求される耐圧を低くすることができる。そのため、導通損失の少ない整流素子を用いることができ、そのことで低損失化が図れる。
【００９９】
《第９の実施形態》
図１０は第９の実施形態のスイッチング電源装置１０９の回路図である。この例では第１の実施形態のスイッチング電源装置１０１と異なり、整流回路を倍電圧整流回路とし、インダクタLsに対して直列にキャパシタCsを接続し、整流ダイオードDs1、Ds2に対して並列に共振キャパシタCs1、Cs2を構成している。
【０１００】
作用効果は第１の実施形態で示したものと同様である。特に、この第９の実施形態では、倍電圧整流により高い出力電圧を得ることができ、また、ダイオードDs1、Ds2の接合容量を共振キャパシタCs1、Cs2として用いることができる。
【０１０１】
《第１０の実施形態》
図１１は第１０の実施形態のスイッチング電源装置１１０の回路図である。この例では第１の実施形態のスイッチング電源装置１０１と異なり、共振キャパシタCr、Cs、相互インダクタンス（Lm、Lms）、１次巻線npおよび２次巻線nsを第９の実施形態とは異なる位置に構成している。また、巻線の漏れインダクタンスをインダクタLr、Lsとし、２次側整流回路を同期整流回路としている。
【０１０２】
作用効果は第１の実施形態で示したものと同様である。特に、この第１０の実施形態では、次の効果を奏する。
【０１０３】
・共振キャパシタCr、Cs、１次巻線np、２次巻線nsを適宜配置することにより、部品実装面積を効果的に活用できる。
【０１０４】
・共振キャパシタCrを入力側のグランド電位とすることで、共振キャパシタCrの電圧または、電流の検出が容易になり、この電圧を検出してスイッチング素子を制御することで電力を制御することができる。電流の検出には、共振キャパシタCrと並列に小さな容量のキャパシタを接続して、この小さな容量のキャパシタに流れる電流を検出することにより、容量比に応じた比率で共振キャパシタCrの電流の検出が可能となる。
【０１０５】
・巻線のトランスの漏れインダクタンスを共振インダクタLr、Lsとして用いることにより、部品数を削減して、電源装置の小型軽量化を図ることができる。また、巻線間の相互インダクタンスを共振インダクタ（Lm、Lms）として用いることにより、部品数を削減して、電源装置の小型軽量化を図ることができる。
【０１０６】
・２次側の整流回路を同期整流回路とすることで整流損失を低減できる。また、同期整流回路を構成するスイッチング素子をスイッチング動作をさせることにより、受電側のエネルギーを送電することが可能となり、受電側回路を送電回路として用いることができる。このようにして、例えば、双方向の電力伝送が可能となる。
【０１０７】
《第１１の実施形態》
図１２は第１１の実施形態のスイッチング電源装置１１１の回路図である。この例は次の点で第１の実施形態のスイッチング電源装置１０１と異なる。
【０１０８】
・１次巻線npの漏れインダクタンスをインダクタLr、相互インダクタンスをインダクタLm、巻線容量をキャパシタCr1、２次巻線nsの漏れインダクタンスをインダクタLs、相互インダクタンスをインダクタLms、巻線容量をキャパシタCs1としている。
・１次側交流電圧発生回路をフルブリッジ回路で構成している。
・１次巻線np、２次巻線nsに自己共振コイルを用いている。
・１次巻線npと２次巻線nsの結合に磁心を用いないで、空心としている。
・２次側の整流回路を同期整流ブリッジ整流回路としている。
【０１０９】
作用効果は第１の実施形態で示したものと同様である。特に、この第１１の実施形態では、１次巻線、２次巻線に自己共振コイルを用いることで電力伝送システムをシンプルに構成できる。また、１次側交流電圧発生回路や整流回路をフルブリッジ回路で構成することでスイッチング素子の必要な耐圧を低くして、導通損失の少ないスイッチング素子を用いることができる。そのため、導通損失の少ないスイッチング素子を用いることができ、そのことで低損失化が図れる。
【０１１０】
《第１２の実施形態》
図１３は第１２の実施形態のスイッチング電源装置１１２の回路図である。この例は第１の実施形態のスイッチング電源装置１０１と異なり、１次巻線npと２次巻線ns1，ns2との間の相互作用により、等価的な相互キャパシタンスCm1、Cm2、Cm3以外に等価的な相互キャパシタンスCm4が形成されている。
【０１１１】
このように、２次巻線が複数である場合には、１次巻線と２次巻線との間の相互作用により、４つ以上の等価的な相互キャパシタンスが生じ、それらの等価的な相互キャパシタンスCm1、Cm2、Cm3、Cm4を用いて、１次側と２次側の双方のLC共振回路を電磁界共鳴結合させてもよい。
【符号の説明】
【０１１２】
Cds1，Cds2…並列キャパシタ
Cm1、Cm2、Cm3…相互キャパシタンス
Cr…１次側共振キャパシタ
Cs…２次側共振キャパシタ
Cs1，Cs2…２次側共振キャパシタ
Dds1，Dds2…逆並列ダイオード
Lm…相互インダクタンス
Lms1，Lms2…相互インダクタンス
Lr…１次側共振インダクタ
Ls…２次側共振インダクタ
Ls1，Ls2…２次側共振インダクタ
np…１次巻線
ns…２次巻線
ns1，ns2…２次巻線
Q1，Q2…スイッチング素子
Ro…負荷
T…トランス
１０１〜１１１…スイッチング電源装置
【図１】
2013058175.tif 000003
【図２】
2013058175.tif 000004
【図３】
2013058175.tif 000005
【図４】
2013058175.tif 000006
【図５】
2013058175.tif 000007
【図６】
2013058175.tif 000008
【図７】
2013058175.tif 000009
【図８】
2013058175.tif 000010
【図９】
2013058175.tif 000011
【図１０】
2013058175.tif 000012
【図１１】
2013058175.tif 000013
【図１２】
2013058175.tif 000014
【図１３】
2013058175.tif 000015
【図１４】
2013058175.tif 000016
【手続補正書】
【提出日】平成26年4月4日(2014.4.4)
【手続補正１】
【補正対象書類名】明細書
【補正対象項目名】０００３
【補正方法】変更
【補正の内容】
【０００３】
例えばＬＣ直列共振型ＤＣ−ＤＣコンバータとして特許文献１が開示されている。図１４は特許文献１のスイッチング電源装置の基本的な回路図である。このスイッチング電源装置は電流共振形のハーフブリッジＤＣ−ＤＣコンバータであり、トランスＴの１次巻線npに、インダクタLrとキャパシタCrとからなるＬＣ共振回路および二つのスイッチング素子Q1，Q2が接続されている。トランスＴの２次巻線ns1，ns2にはダイオードD3，D4およびキャパシタCoからなる整流平滑回路が構成されている。
【手続補正２】
【補正対象書類名】明細書
【補正対象項目名】００５３
【補正方法】変更
【補正の内容】
【００５３】
・１次巻線ｎｐおよび２次巻線ｎｓ１，ｎｓ２を備えるトランスＴ
・１次巻線ｎｐに対して等価的に直列に構成される１次側共振インダクタLr
・共振インダクタLrとともに１次側共振回路を構成する少なくとも１つの１次側共振キャパシタCr
・スイッチング素子Q1，Q2、逆並列ダイオードDds1，Dds2および並列キャパシタCds1，Cds2でそれぞれ構成される、２つのスイッチング回路
・前記スイッチング回路により、入力直流電源電圧から台形波（方形波）の交流電圧を発生して１次側共振回路へ与える１次側交流電圧発生回路
・２次巻線ns1，ns2に対して等価的に直列に構成される２次側共振インダクタLs1，Ls2
・共振インダクタLs1，Ls2とともに２次側共振回路を構成する２次側共振キャパシタCs1，Cs2
・ダイオードDs1，Ds2を有し、２次側共振回路から出力される交流電流を整流して直流電圧を得る２次側整流回路
・１次巻線npと２次巻線ns1，ns2との間で相互誘導により等価的な相互インダクタンスLm，Lms1，Lms2が形成され、１次巻線npと２次巻線ns1，ns2との間の相互作用により等価的な相互キャパシタンスCm1、Cm2、Cm3が形成され、１次側回路および２次側回路のそれぞれに複数のＬＣ共振回路を備えた複共振回路
このスイッチング電源装置の特徴となる構成を端的に表せば、次のとおりである。
【手続補正３】
【補正対象書類名】明細書
【補正対象項目名】００５７
【補正方法】変更
【補正の内容】
【００５７】
・Cr、Lm、Lr、Cs1、Ls1、Lms1、Cs2、Ls2、Lms2、Cm1、Cm2、Cm3により複共振回路を構成する。
【手続補正４】
【補正対象書類名】明細書
【補正対象項目名】００５９
【補正方法】変更
【補正の内容】
【００５９】
（１）１次巻線npと２次巻線ns1，ns2との間に相互誘導によって等価的な相互インダクタンスLm、Lms1、Lms2を形成し、Cr、Lr、Lm、Cs1、Ls1、Lms1、Cs2、Ls2、Lms2、Cm1、Cm2、Cm3からなる複共振回路によって、１次側共振回路と２次側共振回路は共鳴し、相互インダクタンスLm、Lms1、Lms2に共振電流が流れ、相互キャパシタンスCm1、Cm2、Cm3に電流が流れる電磁界共鳴結合により１次側回路から２次側回路へ電力が伝送される。
【手続補正５】
【補正対象書類名】明細書
【補正対象項目名】００６２
【補正方法】変更
【補正の内容】
【００６２】
（４）スイッチング素子Q1とQ2はデッドタイムを挟んで交互にオンオフすることにより、直流電圧Viから台形波交流電圧波形が生成される。この台形波交流電圧波形はCr、Lm、Lr、Cs1、Ls1、Lms1、Cs2、Ls2、Lms2、Cm1、Cm2、Cm3からなる複共振回路による共振現象により正弦波波形もしくは正弦波波形の一部とする交流電流波形となる。さらにダイオードDs1、Ds2により整流されて直流電圧が生成される。
【手続補正６】
【補正対象書類名】明細書
【補正対象項目名】００６７
【補正方法】変更
【補正の内容】
【００６７】
［１］State１  時刻ｔ１〜ｔ２
始め、ダイオードDds1は導通する。ダイオードDds1の導通期間においてスイッチング素子Q1をターンオンすることでＺＶＳ動作が行われ、スイッチング素子Q1は導通する。１次巻線npと２次巻線ns1，ns2との間に相互誘導によって等価的な相互インダクタンスLm、Lms1、Lms2が形成され、また、１次巻線npと２次巻線ns1，ns2との間に相互作用によって等価的な相互キャパシタンスCm1、Cm2、Cm3が形成され、Cr、Lr、Lm、Cs1、Ls1、Lms1、Cs2、Ls2、Lms2からなる複共振回路において、１次側共振回路と２次側共振回路とが共鳴して、相互インダクタンスLm、Lms1、Lms2に共振電流が流れる磁界共鳴結合により１次側回路から２次側回路へ電力が伝送される。１次側では、キャパシタCr、インダクタLr、Lmに共振電流が流れる。２次側では、キャパシタCs1、インダクタLs1、Lms1、およびキャパシタCs2、インダクタLs2、Lms2に共振電流が流れる。キャパシタCs1は充電され、キャパシタCs2は放電される。負荷RoにはキャパシタCoから電流が供給される。電圧vs1と出力電圧voが等しくなり、電圧vs2が0VなるとダイオードDs1は導通して、State2となる。
【手続補正７】
【補正対象書類名】明細書
【補正対象項目名】００６８
【補正方法】変更
【補正の内容】
【００６８】
［２］State2  時刻ｔ２〜ｔ３
１次巻線npと２次巻線ns1との間に相互誘導によって等価的な相互インダクタンスLm、Lms1が形成され、また、１次巻線npと２次巻線ns1，ns2との間に相互作用によって等価的な相互キャパシタンスCm1、Cm2、Cm3が形成され、電磁界結合により１次側回路から２次側回路へ電力が伝送される。１次側では、キャパシタCrとインダクタLr、Lmに共振電流が流れる。２次側では、インダクタLs1、Lms1に共振電流が流れ、ダイオードDs1を通って負荷Roに電流が供給される。スイッチング素子Q1がターンオフするとState3となる。
【手続補正８】
【補正対象書類名】明細書
【補正対象項目名】００７０
【補正方法】変更
【補正の内容】
【００７０】
［４］State4  時刻ｔ４〜ｔ５
始め、ダイオードDds2は導通する。ダイオードDds2の導通期間においてスイッチング素子Q2をターンオンすることでＺＶＳ動作が行われ、スイッチング素子Q2は導通する。１次巻線npと２次巻線ns1，ns2との間に相互誘導によって等価的な相互インダクタンスLm、Lms1、Lms2が形成され、また、1次巻線npと2次巻線ns1，ns2との間に相互作用によって等価的な相互キャパシタンスCm1、Cm2、Cm3が形成され、Cr、Lr、Lm、Cs1、Ls1、Lms1、Cs2、Ls2、Lms2、Cm1、Cm2、Cm3からなる複共振回路において、１次側共振回路と２次側共振回路とが共鳴して、相互インダクタンスLm、Lms1、Lms2に共振電流が流れる磁界共鳴結合により１次側回路から２次側回路へ電力が伝送される。１次側では、キャパシタCr、インダクタLr、Lmに共振電流が流れる。２次側では、キャパシタCs1、インダクタLs1、Lms1、およびキャパシタCs2、インダクタLs2、Lms2に共振電流が流れる。キャパシタCs1は放電され、キャパシタCs2は充電される。負荷RoにはキャパシタCoから電流が供給される。電圧vs1が0V、電圧vs2が出力電圧voと等しくなるとダイオードDs2は導通してState5となる。
【手続補正９】
【補正対象書類名】明細書
【補正対象項目名】００７１
【補正方法】変更
【補正の内容】
【００７１】
［５］State5  時刻ｔ５〜ｔ６
１次巻線npと２次巻線ns2との間に相互誘導によって等価的な相互インダクタンスLm、Lms2が形成され、また、１次巻線npと２次巻線ns1，ns2との間に相互作用によって等価的な相互キャパシタンスCm1、Cm2、Cm3が形成され、電磁界結合により１次側回路から２次側回路へ電力が伝送される。１次側では、キャパシタCrとインダクタLr、Lmに共振電流が流れる。２次側では、インダクタLs2、Lms2に共振電流が流れ、ダイオードDs2を通って負荷Roに電流を供給する。スイッチング素子Q2がターンオフするとState6となる。
【手続補正１０】
【補正対象書類名】明細書
【補正対象項目名】００８９
【補正方法】変更
【補正の内容】
【００８９】
《第４の実施形態》
図５は第４の実施形態のスイッチング電源装置１０４の回路図である。この例では第１の実施形態のスイッチング電源装置１０１と異なり、インダクタLr、Ls1、Ls2に巻線の漏れインダクタンスを利用し、インダクタLm、Lms1、Lms2にトランスＴの相互インダクタンスを利用している。
【手続補正１１】
【補正対象書類名】明細書
【補正対象項目名】０１０８
【補正方法】変更
【補正の内容】
【０１０８】
・１次巻線npの漏れインダクタンスをインダクタLr、相互インダクタンスをインダクタLm、巻線容量をキャパシタCr1、２次巻線nsの漏れインダクタンスをインダクタLs、相互インダクタンスをインダクタLms1、巻線容量をキャパシタCs1としている。
・１次側交流電圧発生回路をフルブリッジ回路で構成している。
・１次巻線np、２次巻線nsに自己共振コイルを用いている。
・１次巻線npと２次巻線nsの結合に磁心を用いないで、空心としている。
・２次側の整流回路を同期整流ブリッジ整流回路としている。
【国際調査報告】
2013058175.tif 000017
2013058175.tif 000018
2013058175.tif 000019
2013058175.tif 000020